(57)【特許請求の範囲】
【請求項１】
主体を含み、
前記主体の中には上方空間が設置され、前記上方空間の中には上方モーターが固定的に連結され、前記上方空間の下方には左抜き孔と右抜き孔とが設置され、前記左抜き孔と前記右抜き孔との間には使用済みの空きコップを回収できる回収孔が設置され、前記主体の中の下方には下方空間が設置され、前記下方空間の中にはオーディオレシーバーとスピーカーとが設置され、前記オーディオレシーバーは音声情報を受けて電気信号に変換でき、前記スピーカーは音楽を放送して人から出された問題に対して回答を答えることができ、前記左抜き孔の後方には左方回転空間が設置され、前記左方回転空間の中には左回転盤が回転できるように設置され、前記右抜き孔の後方には右方回転空間が設置され、前記右方回転空間の中には右回転盤が回転できるように設置され、前記右方回転空間の後方には右後方溝が連通するように形成され、前記左方回転空間の後方には左後方溝が連通するように形成され、前記左抜き孔の中には左側ベルトと左側中間ベルトとが設置され、前記右抜き孔の中には右側中間ベルトと右側ベルトとが設置され、前記左方回転空間の上方にはコーヒー桶が設置され、前記右方回転空間の上方にはジュース桶が設置され、
前記左方回転空間と前記右方回転空間との下方には中部下方空間が設置され、前記中部下方空間の中には左方モーターと右方モーターとが固定的に連結され、前記左方回転空間と前記右方回転空間との間には内部空間が設置され、前記内部空間の中には内部モーターが固定的に連結され、前記コーヒー桶の下方には左パイプが設置され、前記ジュース桶の下方には右パイプが設置され、前記上方モーターは前記左側ベルトと前記左側中間ベルトとの移動を制御でき、且つ前記右側中間ベルトと前記右側ベルトとの移動も制御でき、前記左方モーターは前記左回転盤の回転を制御でき、前記右方モーターは前記右回転盤の回転を制御でき、前記内部モーターは前記左パイプと前記右パイプとの中の液体の流れを制御でき、
前記上方モーターには出力軸が伝動できるように連結され、前記出力軸にはメイン歯車が固定的に連結され、前記出力軸が前記左抜き孔の中に伸び、且つ前記出力軸には左側中間プーリが固定的に連結され、前記メイン歯車には左歯車が噛み合い、前記左歯車には前記上方空間の下壁と回転できるように連結された左縦軸が固定的に連結され、前記左縦軸が前記左抜き孔の中に伸び、且つ前記左縦軸には左前方プーリが固定的に連結され、前記左前方プーリと前記左側中間プーリとがそれぞれ前記左側ベルトと前記左側中間ベルトと伝動できるように連結されており、
前記メイン歯車には中心歯車が噛み合い、前記中心歯車には前記上方空間と回転できるように連結された主軸が回転できるように連結され、前記主軸には左鎖歯車が固定的に連結され、前記左鎖歯車にはチェーンが伝動できるように連結され、前記チェーンには右鎖歯車が伝動できるように連結され、前記右鎖歯車には前記上方空間の下壁と回転できるように連結された中間縦軸が固定的に連結され、前記中間縦軸には中間歯車が固定的に連結され、前記中間歯車には右歯車が噛み合い、前記右歯車には前記上方空間の下壁と回転できるように連結された右縦軸が固定的に連結され、前記中間縦軸と前記右縦軸とが前記右抜き孔の中に伸び、且つ前記中間縦軸と前記右縦軸とにはそれぞれ右側中間プーリと右プーリとが固定的に連結され、前記右側中間プーリと前記右プーリとにはそれぞれ前記右側中間ベルトと前記右側ベルトとが伝動できるように連結されており、
前記左抜き孔の中には左後方縦軸と中間後方縦軸とが回転できるように連結され、前記左後方縦軸と中間後方縦軸とにはそれぞれ左後方プーリと中間後方プーリとが固定的に連結され、前記左後方プーリと前記中間後方プーリとが前記左側ベルトと前記左側中間ベルトと伝動できるように連結され、前記右抜き孔の中には右側中間縦軸と右後方縦軸とが回転できるように連結され、前記右側中間縦軸と前記右後方縦軸にはそれぞれ後方プーリと右後方プーリとが固定的に連結され、前記後方プーリと前記右後方プーリとにはそれぞれ前記右側中間ベルトと前記右側ベルトとが伝動できるように連結されており、
前記左方モーターには左軸が伝動できるように連結され、前記左軸が前記左回転盤と固定的に連結され、前記右方モーターには右出力軸が伝動できるように連結され、前記右出力軸には前記右回転盤が固定的に連結され、前記左回転盤には左方弧状溝が形成され、前記右回転盤には右方弧状溝が形成されており、
前記左方弧状溝には左側内部溝が連通するように形成され、前記左側内部溝の中には左側内部ばねが固定的に連結され、前記左側内部ばねには左側内部プッシュ板が固定的に連結され、前記右方弧状溝には右側内部溝が連通するように形成され、前記右側内部溝の中には右側内部ばねが固定的に連結され、前記右側内部ばねには右側内部プッシュ板が固定的に連結されており、
前記左後方溝の中には左ばねが固定的に連結され、前記左ばねには左プッシュ板が固定的に連結され、前記右後方溝の中には右ばねが固定的に連結され、前記右ばねには右プッシュ板が固定的に連結されており、
前記左パイプの中には左ボールバルブが回転できるように連結され、前記左ボールバルブには左横軸が固定的に連結され、前記左横軸が前記内部空間の中に伸び、且つ前記左横軸には左傘歯車が固定的に連結され、前記右パイプの中には右ボールバルブが回転できるように連結され、前記右ボールバルブには右横軸が固定的に連結され、前記右横軸が前記内部空間の中に伸び、且つ前記右横軸には右傘歯車が固定的に連結されており、
前記内部モーターには内部出力軸が伝動できるように連結され、前記内部出力軸には扇状傘歯車が固定的に連結されており、
作動する時に、前記オーディオレシーバーはボイス指令を受けられ、前記スピーカーは音楽を放送できて人から出された問題に対して回答を答え、
前記オーディオレシーバーはコーヒーを飲みたいという指令を受けった後に、前記左方モーターを始動し、前記左軸を回転連動させ、それによって前記左回転盤を回転連動させ、前記左方弧状溝を前記左後方溝と位置合わせた時に、前記左後方溝の中の空きコップは前記左方弧状溝の中に入り、前記左回転盤が空きコップを回転連動させ、空きコップは前記左パイプの下方に至る時に回転を止め、この時に前記内部モーターを始動して順方向に回転させ、前記扇状傘歯車が前記左傘歯車と噛み合い、それによって前記左ボールバルブを回転連動させ、前記コーヒー桶の中のコーヒーは空きコップに流れ、空きコップを充満させた後に前記内部モーターが逆方向に回転し、それによって前記左ボールバルブが閉められ、再び前記左方モーターを始動し、コーヒーを連動させて前記左抜き孔の位置に到達させた時に前記左方モーターは止まり、
前記上方モーターを始動し、中間の伝動によって前記左側ベルトと前記左側中間ベルトとを移動連動させ、それによってコーヒーを前方に移動連動させ、人はコーヒーを持っていき、
前記オーディオレシーバーはジュースを飲みたいという指令を受けった後に、前記右方モーターを始動し、前記右出力軸を回転連動させ、それによって前記右回転盤を回転連動させ、前記右方弧状溝を前記右後方溝と位置合わせた時に、前記右後方溝の中の空きコップは前記右方弧状溝の中に入り、前記右回転盤が空きコップを回転連動させ、空きコップは前記右パイプの下方に至る時に回転を止め、この時に前記内部モーターを始動して逆方向に回転させ、前記扇状傘歯車が前記右傘歯車と噛み合い、それによって前記右ボールバルブを回転連動させ、前記ジュース桶の中のジュースは空きコップに流れ、空きコップを充満させた後に前記内部モーターが順方向に回転し、それによって前記右ボールバルブが閉められ、再び前記右方モーターを始動し、ジュースを連動させて前記右抜き孔の位置に到達させた時に前記右方モーターは止まり、人はコーヒーを持っていき、空きコップを前記回収孔の中に入れることができることを特徴とする人工知能に基づくミニエンクロージャーのセルフサービスシステム。
【発明の詳細な説明】
【技術分野】
【０００１】
本発明は娯楽施設分野に関わり、具体的には人工知能に基づくミニエンクロージャーのセルフサービスシステムである。
【背景技術】
【０００２】
人工知能はすでに我々の生活に普及し、繁華な都会に、多くの人は忙しい仕事を完成した後に静かな場所を探してコーヒーやジュースなどを飲み、あるいは一人でゆっくり休んでリラックスしたい。しかし、バーも喫茶店も騒がしく、それで疲れた人に一人で気持ちを落ち着けて心を癒せ、音楽と飲み物もある一人の時間と空間を提供するため、本発明は人工知能に基づくミニエンクロージャーのセルフサービスシステムを開示する。
【先行技術文献】
【特許文献】
【０００３】
【特許文献１】中国特許出願公開第１０６４１２７５８号明細書
【発明の概要】
【発明が解決しようとする課題】
【０００４】
本発明の目的は人工知能に基づくミニエンクロージャーのセルフサービスシステムを提供するのであり、既存技術にある上記の欠点を解消し、設備の実用性を高める。
【課題を解決するための手段】
【０００５】
本発明は技術問題を解決するために利用する技術プランは下記の通りである。本発明の人工知能に基づくミニエンクロージャーのセルフサービスシステムは、主体を含み、前記主体の中には上方空間が設置され、前記上方空間の中には上方モーターが固定的に連結され、前記上方空間の下方には左抜き孔と右抜き孔とが設置され、前記左抜き孔と前記右抜き孔との間には使用済みの空きコップを回収できる回収孔が設置され、前記主体の中の下方には下方空間が設置され、前記下方空間の中にはオーディオレシーバーとスピーカーとが設置され、前記オーディオレシーバーは音声情報を受けて電気信号に変換でき、前記スピーカーは音楽を放送して人から出された問題に対して回答を答えることができ、前記左抜き孔の後方には左方回転空間が設置され、前記左方回転空間の中には左回転盤が回転できるように設置され、前記右抜き孔の後方には右方回転空間が設置され、前記右方回転空間の中には右回転盤が回転できるように設置され、前記右方回転空間の後方には右後方溝が連通するように形成され、前記左方回転空間の後方には左後方溝が連通するように形成され、前記左抜き孔の中には左側ベルトと左側中間ベルトとが設置され、前記右抜き孔の中には右側中間ベルトと右側ベルトとが設置され、前記左方回転空間の上方にはコーヒー桶が設置され、前記右方回転空間の上方にはジュース桶が設置され、前記左方回転空間と前記右方回転空間との下方には中部下方空間が設置され、前記中部下方空間の中には左方モーターと右方モーターとが固定的に連結され、前記左方回転空間と前記右方回転空間との間には内部空間が設置され、前記内部空間の中には内部モーターが固定的に連結され、前記コーヒー桶の下方には左パイプが設置され、前記ジュース桶の下方には右パイプが設置され、前記上方モーターは前記左側ベルトと前記左側中間ベルトとの移動を制御でき、且つ前記右側中間ベルトと前記右側ベルトとの移動も制御でき、前記左方モーターは前記左回転盤の回転を制御でき、前記右方モーターは前記右回転盤の回転を制御でき、前記内部モーターは前記左パイプと前記右パイプとの中の液体の流れを制御できる。
【０００６】
さらに、前記上方モーターには出力軸が伝動できるように連結され、前記出力軸にはメイン歯車が固定的に連結され、前記出力軸が前記左抜き孔の中に伸び、且つ前記出力軸には左側中間プーリが固定的に連結され、前記メイン歯車には左歯車が噛み合い、前記左歯車には前記上方空間の下壁と回転できるように連結された左縦軸が固定的に連結され、前記左縦軸が前記左抜き孔の中に伸び、且つ前記左縦軸には左前方プーリが固定的に連結され、前記左前方プーリと前記左側中間プーリとがそれぞれ前記左側ベルトと前記左側中間ベルトと伝動できるように連結されている。
【０００７】
さらに、前記メイン歯車には中心歯車が噛み合い、前記中心歯車には前記上方空間と回転できるように連結された主軸が回転できるように連結され、前記主軸には左鎖歯車が固定的に連結され、前記左鎖歯車にはチェーンが伝動できるように連結され、前記チェーンには右鎖歯車が伝動できるように連結され、前記右鎖歯車には前記上方空間の下壁と回転できるように連結された中間縦軸が固定的に連結され、前記中間縦軸には中間歯車が固定的に連結され、前記中間歯車には右歯車が噛み合い、前記右歯車には前記上方空間の下壁と回転できるように連結された右縦軸が固定的に連結され、前記中間縦軸と前記右縦軸とが前記右抜き孔の中に伸び、且つ前記中間縦軸と前記右縦軸とにはそれぞれ右側中間プーリと右プーリとが固定的に連結され、前記右側中間プーリと前記右プーリとにはそれぞれ前記右側中間ベルトと前記右側ベルトとが伝動できるように連結されている。
【０００８】
さらに、前記左抜き孔の中には左後方縦軸と中間後方縦軸とが回転できるように連結され、前記左後方縦軸と中間後方縦軸とにはそれぞれ左後方プーリと中間後方プーリとが固定的に連結され、前記左後方プーリと前記中間後方プーリとが前記左側ベルトと前記左側中間ベルトと伝動できるように連結され、前記右抜き孔の中には右側中間縦軸と右後方縦軸とが回転できるように連結され、前記右側中間縦軸と前記右後方縦軸にはそれぞれ後方プーリと右後方プーリとが固定的に連結され、前記後方プーリと前記右後方プーリとにはそれぞれ前記右側中間ベルトと前記右側ベルトとが伝動できるように連結されている。
【０００９】
さらに、前記左方モーターには左軸が伝動できるように連結され、前記左軸が前記左回転盤と固定的に連結され、前記右方モーターには右出力軸が伝動できるように連結され、前記右出力軸には前記右回転盤が固定的に連結され、前記左回転盤には左方弧状溝が形成され、前記右回転盤には右方弧状溝が形成されている。
【００１０】
さらに、前記左方弧状溝には左側内部溝が連通するように形成され、前記左側内部溝の中には左側内部ばねが固定的に連結され、前記左側内部ばねには左側内部プッシュ板が固定的に連結され、前記右方弧状溝には右側内部溝が連通するように形成され、前記右側内部溝の中には右側内部ばねが固定的に連結され、前記右側内部ばねには右側内部プッシュ板が固定的に連結されている。
【００１１】
さらに、前記左後方溝の中には左ばねが固定的に連結され、前記左ばねには左プッシュ板が固定的に連結され、前記右後方溝の中には右ばねが固定的に連結され、前記右ばねには右プッシュ板が固定的に連結されている。
【００１２】
さらに、前記左パイプの中には左ボールバルブが回転できるように連結され、前記左ボールバルブには左横軸が固定的に連結され、前記左横軸が前記内部空間の中に伸び、且つ前記左横軸には左傘歯車が固定的に連結され、前記右パイプの中には右ボールバルブが回転できるように連結され、前記右ボールバルブには右横軸が固定的に連結され、前記右横軸が前記内部空間の中に伸び、且つ前記右横軸には右傘歯車が固定的に連結されている。
【００１３】
さらに、前記内部モーターには内部出力軸が伝動できるように連結され、前記内部出力軸には扇状傘歯車が固定的に連結されている。
【発明の効果】
【００１４】
本発明の有益な効果は：本発明は人工知能とセルフサービスとを結びつけ、機械構造と人工知能の融合を実現し、働いた後の疲れた人の体と心を落ち着け、気持ち良い体験を与え、一人の時間がほしい人は音楽を楽しむと同時にサービスを受けることができ、そうして、公共の場所の娯楽施設はよりインテリジェントとヒューマニゼーションになる。
【図面の簡単な説明】
【００１５】
下記に図１〜４をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１６】
【図１】図１は人工知能に基づくミニエンクロージャーのセルフサービスシステムの全体構成概略図
【図２】図２は図１の中のＡ―Ａ断面の構成概略図
【図３】図３は図２の中のＢ―Ｂ断面の構成概略図
【図４】図４は図３の中のＣの拡大構成概略図
【発明を実施するための形態】
【００１７】
本発明は人工知能に基づくミニエンクロージャーのセルフサービスシステムに関わり、主に公共施設分野に応用される。
【００１８】
本発明の人工知能に基づくミニエンクロージャーのセルフサービスシステムは、主体１０を含み、前記主体１０の中には上方空間１１が設置され、前記上方空間１１の中には上方モーター１４が固定的に連結され、前記上方空間１１の下方には左抜き孔２７と右抜き孔３５とが設置され、前記左抜き孔２７と前記右抜き孔３５との間には使用済みの空きコップを回収できる回収孔３３が設置され、前記主体１０の中の下方には下方空間３０が設置され、前記下方空間３０の中にはオーディオレシーバー３１とスピーカー３２とが設置され、前記オーディオレシーバー３１は音声情報を受けて電気信号に変換でき、前記スピーカー３２は音楽を放送して人から出された問題に対して回答を答えることができ、前記左抜き孔２７の後方には左方回転空間４３が設置され、前記左方回転空間４３の中には左回転盤４５が回転できるように設置され、前記右抜き孔３５の後方には右方回転空間４４が設置され、前記右方回転空間４４の中には右回転盤４６が回転できるように設置され、前記右方回転空間４４の後方には右後方溝３９が連通するように形成され、前記左方回転空間４３の後方には左後方溝３７が連通するように形成され、前記左抜き孔２７の中には左側ベルト５６と左側中間ベルト５７とが設置され、前記右抜き孔３５の中には右側中間ベルト６２と右側ベルト６３とが設置され、前記左方回転空間４３の上方にはコーヒー桶６６が設置され、前記右方回転空間４４の上方にはジュース桶６７が設置され、前記左方回転空間４３と前記右方回転空間４４との下方には中部下方空間７３が設置され、前記中部下方空間７３の中には左方モーター７１と右方モーター７２とが固定的に連結され、前記左方回転空間４３と前記右方回転空間４４との間には内部空間８２が設置され、前記内部空間８２の中には内部モーター８１が固定的に連結され、前記コーヒー桶６６の下方には左パイプ７４が設置され、前記ジュース桶６７の下方には右パイプ７５が設置され、前記上方モーター１４は前記左側ベルト５６と前記左側中間ベルト５７との移動を制御でき、且つ前記右側中間ベルト６２と前記右側ベルト６３との移動も制御でき、前記左方モーター７１は前記左回転盤４５の回転を制御でき、前記右方モーター７２は前記右回転盤４６の回転を制御でき、前記内部モーター８１は前記左パイプ７４と前記右パイプ７５との中の液体の流れを制御できる。
【００１９】
好ましくは、前記上方モーター１４には出力軸１５が伝動できるように連結され、前記出力軸１５にはメイン歯車１３が固定的に連結され、前記出力軸１５が前記左抜き孔２７の中に伸び、且つ前記出力軸１５には左側中間プーリ２９が固定的に連結され、前記メイン歯車１３には左歯車１２が噛み合い、前記左歯車１２には前記上方空間１１の下壁と回転できるように連結された左縦軸２５が固定的に連結され、前記左縦軸２５が前記左抜き孔２７の中に伸び、且つ前記左縦軸２５には左前方プーリ２８が固定的に連結され、前記左前方プーリ２８と前記左側中間プーリ２９とがそれぞれ前記左側ベルト５６と前記左側中間ベルト５７と伝動できるように連結されている。
【００２０】
好ましくは、前記メイン歯車１３には中心歯車１７が噛み合い、前記中心歯車１７には前記上方空間１１と回転できるように連結された主軸１６が回転できるように連結され、前記主軸１６には左鎖歯車１８が固定的に連結され、前記左鎖歯車１８にはチェーン１９が伝動できるように連結され、前記チェーン１９には右鎖歯車２０が伝動できるように連結され、前記右鎖歯車２０には前記上方空間１１の下壁と回転できるように連結された中間縦軸２１が固定的に連結され、前記中間縦軸２１には中間歯車２２が固定的に連結され、前記中間歯車２２には右歯車２３が噛み合い、前記右歯車２３には前記上方空間１１の下壁と回転できるように連結された右縦軸２４が固定的に連結され、前記中間縦軸２１と前記右縦軸２４とが前記右抜き孔３５の中に伸び、且つ前記中間縦軸２１と前記右縦軸２４とにはそれぞれ右側中間プーリ３４と右プーリ３６とが固定的に連結され、前記右側中間プーリ３４と前記右プーリ３６とにはそれぞれ前記右側中間ベルト６２と前記右側ベルト６３とが伝動できるように連結されている。
【００２１】
好ましくは、前記左抜き孔２７の中には左後方縦軸５４と中間後方縦軸５８とが回転できるように連結され、前記左後方縦軸５４と中間後方縦軸５８とにはそれぞれ左後方プーリ５５と中間後方プーリ５９とが固定的に連結され、前記左後方プーリ５５と前記中間後方プーリ５９とが前記左側ベルト５６と前記左側中間ベルト５７と伝動できるように連結され、前記右抜き孔３５の中には右側中間縦軸６０と右後方縦軸６４とが回転できるように連結され、前記右側中間縦軸６０と前記右後方縦軸６４にはそれぞれ後方プーリ６１と右後方プーリ６５とが固定的に連結され、前記後方プーリ６１と前記右後方プーリ６５とにはそれぞれ前記右側中間ベルト６２と前記右側ベルト６３とが伝動できるように連結されている。
【００２２】
好ましくは、前記左方モーター７１には左軸４７が伝動できるように連結され、前記左軸４７が前記左回転盤４５と固定的に連結され、前記右方モーター７２には右出力軸７０が伝動できるように連結され、前記右出力軸７０には前記右回転盤４６が固定的に連結され、前記左回転盤４５には左方弧状溝６８が形成され、前記右回転盤４６には右方弧状溝６９が形成されている。
【００２３】
好ましくは、前記左方弧状溝６８には左側内部溝４８が連通するように形成され、前記左側内部溝４８の中には左側内部ばね４９が固定的に連結され、前記左側内部ばね４９には左側内部プッシュ板５０が固定的に連結され、前記右方弧状溝６９には右側内部溝５３が連通するように形成され、前記右側内部溝５３の中には右側内部ばね５２が固定的に連結され、前記右側内部ばね５２には右側内部プッシュ板５１が固定的に連結されている。
【００２４】
好ましくは、前記左後方溝３７の中には左ばね３８が固定的に連結され、前記左ばね３８には左プッシュ板４１が固定的に連結され、前記右後方溝３９の中には右ばね４０が固定的に連結され、前記右ばね４０には右プッシュ板４２が固定的に連結されている。
【００２５】
好ましくは、前記左パイプ７４の中には左ボールバルブ７６が回転できるように連結され、前記左ボールバルブ７６には左横軸７７が固定的に連結され、前記左横軸７７が前記内部空間８２の中に伸び、且つ前記左横軸７７には左傘歯車７８が固定的に連結され、前記右パイプ７５の中には右ボールバルブ８３が回転できるように連結され、前記右ボールバルブ８３には右横軸８５が固定的に連結され、前記右横軸８５が前記内部空間８２の中に伸び、且つ前記右横軸８５には右傘歯車８４が固定的に連結されている。
【００２６】
好ましくは、前記内部モーター８１には内部出力軸８０が伝動できるように連結され、前記内部出力軸８０には扇状傘歯車７９が固定的に連結されている。
【００２７】
下記に図１〜４を合わせて本発明の人工知能に基づくミニエンクロージャーのセルフサービスシステムの使用ステップについて詳しく説明する：
【００２８】
１．作動する時に、前記オーディオレシーバー３１はボイス指令を受けられ、前記スピーカー３２は音楽を放送できて人から出された問題に対して回答を答える。
【００２９】
２．前記オーディオレシーバー３１はコーヒーを飲みたいという指令を受けった後に、前記左方モーター７１を始動し、前記左軸４７を回転連動させ、それによって前記左回転盤４５を回転連動させ、前記左方弧状溝６８を前記左後方溝３７と位置合わせた時に、前記左後方溝３７の中の空きコップは前記左方弧状溝６８の中に入り、前記左回転盤４５が空きコップを回転連動させ、空きコップは前記左パイプ７４の下方に至る時に回転を止め、この時に前記内部モーター８１を始動して順方向に回転させ、前記扇状傘歯車７９が前記左傘歯車７８と噛み合い、それによって前記左ボールバルブ７６を回転連動させ、前記コーヒー桶６６の中のコーヒーは空きコップに流れ、空きコップを充満させた後に前記内部モーター８１が逆方向に回転し、それによって前記左ボールバルブ７６が閉められ、再び前記左方モーター７１を始動し、コーヒーを連動させて前記左抜き孔２７の位置に到達させた時に前記左方モーター７１は止まる。
【００３０】
３．前記上方モーター１４を始動し、中間の伝動によって前記左側ベルト５６と前記左側中間ベルト５７とを移動連動させ、それによってコーヒーを前方に移動連動させ、人はコーヒーを持っていく。
【００３１】
４．前記オーディオレシーバー３１はジュースを飲みたいという指令を受けった後に、前記右方モーター７２を始動し、前記右出力軸７０を回転連動させ、それによって前記右回転盤４６を回転連動させ、前記右方弧状溝６９を前記右後方溝３９と位置合わせた時に、前記右後方溝３９の中の空きコップは前記右方弧状溝６９の中に入り、前記右回転盤４６が空きコップを回転連動させ、空きコップは前記右パイプ７５の下方に至る時に回転を止め、この時に前記内部モーター８１を始動して逆方向に回転させ、前記扇状傘歯車７９が前記右傘歯車８４と噛み合い、それによって前記右ボールバルブ８３を回転連動させ、前記ジュース桶６７の中のジュースは空きコップに流れ、空きコップを充満させた後に前記内部モーター８１が順方向に回転し、それによって前記右ボールバルブ８３が閉められ、再び前記右方モーター７２を始動し、ジュースを連動させて前記右抜き孔３５の位置に到達させた時に前記右方モーター７２は止まり、人はコーヒーを持っていき、空きコップを前記回収孔３３の中に入れることができる。
【００３２】
本発明の有益な効果は：本発明は人工知能とセルフサービスとを結びつけ、機械構造と人工知能の融合を実現し、働いた後の疲れた人の体と心を落ち着け、気持ち良い体験を与え、一人の時間がほしい人は音楽を楽しむと同時にサービスを受けることができ、そうして、公共の場所の娯楽施設はよりインテリジェントとヒューマニゼーションになる。
【００３３】
上記の方式によって、当業者は本発明の範囲内で作動モードに基づいて様々な変わりを行える。
【要約】
【課題】本発明は人工知能に基づくミニエンクロージャーのセルフサービスシステムを開示した。
【解決手段】
主体を含み、前記主体の中には上方空間が設置され、前記上方空間の中には上方モーターが固定的に連結され、前記上方空間の下方には左抜き孔と右抜き孔とが設置され、前記左抜き孔と前記右抜き孔との間には回収孔が設置され、本発明は人工知能とセルフサービスとを結びつけ、機械構造と人工知能の融合を実現し、働いた後の疲れた人の体と心を落ち着け、気持ち良い体験を与え、一人の時間がほしい人は音楽を楽しむと同時にサービスを受けることができ、そうして、公共の場所の娯楽施設はよりインテリジェントとヒューマニゼーションになる。
【選択図】図１【図１】
0006827620.tif 000002
【図２】
0006827620.tif 000003
【図３】
0006827620.tif 000004
【図４】
0006827620.tif 000005